(57)【要約】      （修正有）【課題】かさばらず、利便性を向上させた臀部用クッションを提供する。【解決手段】クッション１０−１は、矢印Ｐ１、Ｐ２方向に折り曲げられた状態で山折り線Ｌ１が臀部の間に装着され、中央部が外周部より厚い弾性樹脂からなるシート１１と、シートの装着面１４に谷折り線Ｌ２に沿って形成された第一の溝１２と、装着面の反対側の面である表面の中央に山折り線に沿って形成された第二の溝１３と、シートの表側に形成された平坦部１６と、を有する。【選択図】図１
0003186561.tif 000002
【実用新案登録請求の範囲】
【請求項１】
装着面に山折り線が形成されるように折り曲げられた状態で臀部の間に装着され、中央部が外周部より厚い弾性樹脂からなるシートと、
前記シートの前記装着面と反対側の面に谷折り線に沿って形成された第一の溝と、
を有することを特徴とする臀部用クッション。
【請求項２】
前記シートの装着面に前記山折り線に沿って形成された第二の溝を有することを特徴とする請求項１記載の臀部用クッション。
【請求項３】
前記シートの装着面の中央に形成された凹部を有することを特徴とする請求項１または２記載の臀部用クッション。
【請求項４】
前記シートの装着面と反対側の面の中央に形成された平面を有することを特徴とする請求項１から３の何れか一項記載の臀部用クッション。
【請求項５】
前記シートが前記弾性樹脂より粘着性が低い樹脂でコーティングされていることを特徴とする請求項１から４の何れか一項記載の臀部用クッション。
【請求項６】
前記シートの装着面に前記弾性樹脂より粘着性が高い粘着層が形成されていることを特徴とする請求項１から５の何れか一項記載の臀部用クッション。
【請求項７】
前記シートの中央に着座時に閉じる程度の内径を有する複数の貫通孔が形成されていることを特徴とする請求項１から６の何れか一項記載の臀部用クッション。
【請求項８】
前記シートの装着面の中央に布が貼り付けられていることを特徴とする請求項１から６の何れか一項記載の臀部用クッション。
【請求項９】
前記シートの縁部から外へ伸びるバンドを少なくとも１つ有することを特徴とする請求項１から６の何れか一項記載の臀部用クッション。
【請求項１０】
前記シートの形状は、楕円、円、多角形、矩形、もしくは繭型であることを特徴とする請求項１から９の何れか一項記載の臀部用クッション。
【考案の詳細な説明】
【技術分野】
【０００１】
本考案は、臀部用クッションに関する。
【背景技術】
【０００２】
デスクワークや自動車の運転等のように長時間椅子に座り続けた場合、臀部に継続的な押圧力が加わり、痛みを伴うことがある。
そこで、この問題を解決するための種々の提案がなされている（例えば、特許文献１参照。）。
【先行技術文献】
【特許文献】
【０００３】
【特許文献１】特開２００１−３７５９４号公報
【０００４】
特許文献１に記載の発明は、「座面クッション」に関するものであり、具体的には、椅子の座面後半面に載置される座面部と、椅子の背もたれ部の下半面に載置される背面部とを低反発性ウレタンフォームから構成する。こうすれば、臀部に対する膝位置の高い姿勢や必要以上の前傾姿勢となることなく、作業に適した座り姿勢が得られるとともに、座面部や背面部が座った人の臀部等の形状に変形するため、局所的な強い反発力が生じることなく、体重を座面全体に略均一に分散させることができるものである。
【考案の概要】
【考案が解決しようとする課題】
【０００５】
しかしながら、上述した技術では、座る場所を変えるたびに常に座面クッションを携帯しなければならず、携帯する場合にはかさばる煩わしさがあり、不便である。
【０００６】
本考案は、上記課題に鑑みてなされたもので、利便性を向上させた臀部用クッションの提供を目的とする。
【課題を解決するための手段】
【０００７】
かかる目的を達成するために、請求項１に係る考案は、装着面に山折り線が形成されるように折り曲げられた状態で臀部の間に装着され、中央部が外周部より厚い弾性樹脂からなるシートと、前記シートの前記装着面と反対側の面に谷折り線に沿って形成された第一の溝と、を有することを特徴とする。
【考案の効果】
【０００８】
本考案によれば、利便性を向上させた臀部用クッションの提供が可能となる。
【図面の簡単な説明】
【０００９】
【図１】（ａ）は、本考案の一実施の形態に係る臀部用クッションの平面図であり、（ｂ）は、（ａ）のＩｂ−Ｉｂ線断面図、（ｃ）は、（ａ）のＩｃ−Ｉｃ線断面図、（ｄ）は、（ａ）の底面図である。
【図２】（ａ）は、本考案の他の実施の形態に係る臀部用クッションの平面図であり、（ｂ）は、（ａ）のIIｂ−IIｂ線断面図、（ｃ）は、（ａ）のIIｃ−IIｃ線断面図、（ｄ）は、（ａ）の底面図である。
【図３】（ａ）は、本考案の他の実施の形態に係る臀部用クッションの平面図であり、（ｂ）は、（ａ）のIIIｂ−IIIｂ線断面図、（ｃ）は、（ａ）のIIIｃ−IIIｃ線断面図、（ｄ）は、（ａ）の底面図である。
【図４】（ａ）〜（ｃ）は、本考案の変形例に係る臀部用クッションの平面図である。
【考案を実施するための形態】
【００１０】
＜実施形態１＞
図１（ａ）は、本考案の一実施の形態に係る臀部用クッションの平面図であり、図１（ｂ）は、図１（ａ）のＩｂ−Ｉｂ線断面図、図１（ｃ）は、図１（ａ）のＩｃ−Ｉｃ線断面図、図１（ｄ）は、図１（ａ）の底面図である。
【００１１】
［構  成］
本実施形態の臀部用クッション１０−１は、矢印Ｐ１、Ｐ２方向に折り曲げられた状態で山折り線Ｌ１が図示しない臀部の間に装着される。臀部用クッション１０−１は、中央部が外周部より厚く弾性樹脂からなるシート１１と、シート１１の装着面１４に谷折り線Ｌ２に沿って形成された第一の溝１２と、シート１１の装着面１４の反対側の面である表面の中央に山折り線Ｌ１に沿って形成された第二の溝１３と、シート１１の表側（図１（ｂ）では上側）に形成された平坦部１６と、を有する。
【００１２】
装着面１４の中央部１５には凹部が形成され、その凹部を囲むようにシート１１より粘着性の高い粘着層１４ｂが形成され、シート１１の外周部には粘着層１４ｂを囲むように粘着層１４ｂより粘着性の高い粘着層１４ａが形成されている。粘着層１４ａの粘着性は例えば、絆創膏程度であればよい。
【００１３】
シート１１の材質は、例えば、ポリマー、シリコーン、エラストマー、ウレタンゴム、フッ素ゴム等の人肌程度の柔軟な弾性樹脂からなる。
シート１１の外形形状は、図では楕円であるが、本考案はこれに限定されるものではなく、楕円、円、多角形、矩形、もしくは繭型のいずれの形状であってもよいが、第一の溝１２に対して直交する方向に長い楕円形状が好ましい。
シート１１の大きさは、楕円形状の場合には例えば、長径が６０ｍｍ、短径が７０ｍｍ、中央部の厚さが１０ｍｍ程度であるが、本考案はこれに限定されるものでない。
シート１１の断面形状はほぼ平凸レンズ状に形成されている。これは折り曲げたときに中央部が厚く、周辺部が薄くなるので、臀部用クッション１０−１が下着と肛門との間の空間に密着し易くするためである。
また、シート１１の中央部１５に高さ１ｍｍ程度の破線で示す突起２０を形成することにより、装着時のマーカーとすることができる。
さらに、中央部１５に複数の貫通孔（例えば、直径１ｍｍ以下）を形成してもよい。この場合は、椅子等への着座時に貫通孔が閉じ、歩行時には貫通孔が開いて通気孔となるので、蒸れるのを防止する効果が期待できる。
シート１１は、それ自体ある程度の粘着性を有しているので、直接臀部に貼り付けることができるが、べとつき感がある（個人差がある）。そこで、べとつき感を押さえるため、シート１１の表裏両面にはビニル等でコーティングされていてもよい。
【００１４】
第二の溝１３は、臀部用クッション１０−１を臀部間に装着したときに肛門からの体内ガスを排気するための排気口を形成するための溝である。第二の溝１３の内径は、例えば２〜３ｍｍ程度であるが、本考案はこれに限定されるものではない。
【００１５】
第一の溝１２は、臀部用クッション１０−１を折り曲げるときのガイドの機能を有しており折り曲げ易くすることができる。第一の溝１２の内径は、例えば４〜５ｍｍ程度であるが、本考案がこれに限定されるものではない。
臀部用クッション１０−１の装着面１４は、粘着剤が形成されていてもよい。但し、シート１１がコーティングされている場合にはコーティングの上に粘着剤が形成されるのは言うまでもなく、未使用時には粘着剤の表面には剥離紙が貼り付けられているのが好ましい。
【００１６】
［作用効果］
図１に示す臀部用クッション１０−１は、臀部間に装着することにより、携帯する必要がなく、かさばることもないので、利便性が向上する。
また、図１に示す臀部用クッション１０−１を準備し、図示しない臀部を露出して脚を拡げ、一方の手（例えば、右手）で矢印Ｐ１、Ｐ２方向に折り曲げて、他方の手（この場合、左手）で肛門の位置が中央部１５の中央になるようにして押し当てる。
すなわち、図１（ａ）に示す臀部用クッション１０−１をユーザーの臀部間に装着したときに、楕円の長径が肛門を中心にして太ももに沿うように貼り付き、楕円の短径が肛門を中心に臀部間の溝に沿うように貼り付くことになる。
臀部用クッション１０−１を装着することにより、下着と肛門との間が密着状態となり、椅子に座ったときの圧力が分散するので、肛門への押圧力を低減させることができる。特に、日常生活での腰掛けや正座時において、ユーザーが痔（軽度の裂肛、内痔、外痔）の場合には座ったときの痛みを和らげることができる。
また、図１に示す臀部用クッション１０−１は、クッション効果により、患部への刺激が少ないだけでなく、潤いを保つことができる。
【００１７】
＜実施形態２＞
図２（ａ）は、本考案の他の実施の形態に係る臀部用クッションの平面図であり、図２（ｂ）は、図２（ａ）のIIｂ−IIｂ線断面図、図２（ｃ）は、図２（ａ）のIIｃ−IIｃ線断面図、図２（ｄ）は、図２（ａ）の底面図である。
【００１８】
図２（ａ）〜（ｄ）に示した実施の形態の図１（ａ）〜（ｄ）に示した実施の形態との相違点は、臀部用クッション１０−２の楕円の長径が第一の溝１２に沿うように形成されている点である。
すなわち、本実施形態の臀部用クッション１０−２は、矢印Ｐ３、Ｐ４方向に折り曲げられた状態で山折り線Ｌ３が図示しない臀部の間に装着され、中央部が外周部より厚く弾性樹脂からなるシート１１と、シート１１の装着面１４に山折り線Ｌ３に沿って形成された第二の溝１３と、シート１１の装着面１４の反対側の面である表面の中央に谷折り線Ｌ４に沿って形成された第二の溝１３と、を有する。１４ａは粘着層である。
【００１９】
このような臀部用クッション１０−２を用いても実施形態１と同様の効果が得られる。
【００２０】
＜実施形態３＞
図３（ａ）は、本考案の他の実施の形態に係る臀部用クッションの平面図であり、図３（ｂ）は、図３（ａ）のIIIｂ−IIIｂ線断面図、図３（ｃ）は、図３（ａ）のIIIｃ−IIIｃ線断面図、図３（ｄ）は、図３（ａ）の底面図である。
【００２１】
図３（ａ）〜（ｄ）に示した実施の形態の図２（ａ）〜（ｄ）に示した実施の形態との相違点は、臀部用クッション１０−２の装着面１４の中央に凹部１７が形成され、装着面１４の反対側の面である表面に平坦部１６が形成されている点である。
すなわち、本実施形態の臀部用クッション１０−３は、シート１１の装着面１４の中央に例えば深さ１ｍｍ程度の凹部１７が形成されている。この凹部１７によって、図示しない肛門への押圧力をさらに低減させることができる。また、この凹部１７に布、例えばリント布やガーゼを当てたり、痔の治療薬を浸透させたガーゼを当てたりすることができる。
【００２２】
また、シート１１の溝１２の周囲に平坦部１６が形成されているため、折り曲げやすくなる。
【００２３】
この臀部用クッション１０−２も臀部用クッション１０−１と同様に、矢印Ｐ５、Ｐ６方向に折り曲げられた状態で山折り線Ｌ５が図示しない臀部の間に装着される弾性樹脂からなるシート１１と、シート１１の装着面１４に山折り線Ｌ３に沿って形成された第二の溝１３と、第二の溝１３の中央に形成された凹部１７と、シート１１の装着面１４の反対側の面である表面の中央に谷折り線Ｌ６に沿って形成された第一の溝１２と、第二の溝１３の周囲に形成された平坦部１６と、を有する。１４ａは粘着層である。
このような臀部用クッション１０−３においても実施形態２と同様の効果が得られる。
【００２４】
＜変形例＞
図４（ａ）〜（ｃ）は、本考案の変形例に係る臀部用クッションの平面図である。
図４（ａ）〜（ｃ）に示す考案の実施形態１との相違点は、シート１１の縁部に外へ向かう少なくとも１つのバンドが設けられている点である。
【００２５】
図４（ａ）に示す臀部用クッション１０−４は、シート１１の外周部に溝１２に沿った方向にバンド２１ａが設けられている。このバンド２１ａはシート１１と同様の部材で構成されている。バンド２１ａのシート１１の装着面側と同じ側には粘着層が形成されていてもよい。このバンド２１ａは、シート１１が臀部から外れて落下するのを防止するためであり、臀部間に沿って腰側に貼り付けられるようになっている。
【００２６】
図４（ｂ）に示す臀部用クッション１０−５は、シート１１の外周部にＸ字形状にバンド２１ｂ、２１ｃ、２１ｄ、２１ｅが設けられている。これらのバンド２１ｂ〜２１ｅもシート１１の装着面側と同じ側には粘着剤が形成されていてもよい。これらのバンド２１ｂ〜２１ｅは臀部に貼り付けられるようになっている。
【００２７】
図４（ｃ）に示す臀部用クッション１０−６は、シート１１の外周部にＹ字形状にバンド２１ａ、２１ｂ、２１ｃが設けられている。これらのバンド２１ａ〜２１ｃもシート１１の装着面側と同じ側には粘着剤が形成されていてもよい。但し、バンド２１ａは臀部間から腰へ向かうように貼り付け、バンド２１ａ、２１ｂは臀部に貼り付けられるようになっている。
【００２８】
これらの臀部用クッション１０−４〜１０−６も実施形態１と同様の効果が得られる。
【００２９】
なお、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。
【符号の説明】
【００３０】
１０−１、１０−２、１０―３、１０−４、１０−５、１０−６    臀部用クッション
１１    シート
１２    第一の溝
１３    第二の溝
１４    装着面
１５    中央部
１６    平坦部
１７    凹部
２１ａ、２１ｂ、２１ｃ、２１ｄ、２１ｅ    バンド
【図１】
0003186561.tif 000003
【図２】
0003186561.tif 000004
【図３】
0003186561.tif 000005
【図４】
0003186561.tif 000006
【手続補正書】
【提出日】平成25年6月17日(2013.6.17)
【手続補正１】
【補正対象書類名】明細書
【補正対象項目名】００１３
【補正方法】変更
【補正の内容】
【００１３】
シート１１の材質は、例えば、ポリマー、シリコーン、エラストマー、ウレタンゴム、フッ素ゴム等の人肌程度の柔軟な弾性樹脂からなる。
シート１１の外形形状は、図では楕円であるが、本考案はこれに限定されるものではなく、楕円、円、多角形、矩形、もしくは繭型のいずれの形状であってもよいが、第一の溝１２に対して直交する方向に長い楕円形状が好ましい。
シート１１の大きさは、楕円形状の場合には例えば、長径が７０ｍｍ、短径が６０ｍｍ、中央部の厚さが１０ｍｍ程度であるが、本考案はこれに限定されるものでない。
シート１１の断面形状はほぼ平凸レンズ状に形成されている。これは折り曲げたときに中央部が厚く、周辺部が薄くなるので、臀部用クッション１０−１が下着と肛門との間の空間に密着し易くするためである。
また、シート１１の中央部１５に高さ１ｍｍ程度の破線で示す突起２０を形成することにより、装着時のマーカーとすることができる。
さらに、中央部１５に複数の貫通孔（例えば、直径１ｍｍ以下）を形成してもよい。この場合は、椅子等への着座時に貫通孔が閉じ、歩行時には貫通孔が開いて通気孔となるので、蒸れるのを防止する効果が期待できる。
シート１１は、それ自体ある程度の粘着性を有しているので、直接臀部に貼り付けることができるが、べとつき感がある（個人差がある）。そこで、べとつき感を押さえるため、シート１１の表裏両面にはビニル等でコーティングされていてもよい。